(57)【要約】【課題】外観が良好であり、且つ、この外観の品質低下を抑制することができる電子機器を提供する。【解決手段】受熱部は機器本体２に設けられた半導体パッケージ３１と熱的に接続されている。表示ユニット３は、表示パネル２０及びディスプレイハウジング２１を有し、機器本体２に支持されている。ディスプレイハウジング２１の内部には、冷媒流路Ａを有する放熱部４８が設けられている。循環経路５３は、機器本体２と表示ユニット３との間に跨って配置されて、受熱部４１ａと放熱部４８の冷媒流路Ａとの間で液状の冷媒を循環させる。ディスプレイハウジング２１には、放熱部４８に対応させて透明部材により形成された透光部６０ａが設けられている。ディスプレイハウジング２１の内側には可逆感温変色層６１ａが設けられており、放熱部４８から放出される熱により色又は色調が変化する。【選択図】　　図６
2004086736.tif 000002
【特許請求の範囲】
【請求項１】
発熱体を有する機器本体と、
上記機器本体に設けられ、上記発熱体に熱的に接続された受熱部と、
表示パネル及びこの表示パネルを収容するディスプレイハウジングを有し、上記機器本体に支持された表示ユニットと、
上記ディスプレイハウジングの内部に設けられ、冷媒流路を有する放熱部と、
上記機器本体と上記表示ユニットとの間に跨って配置され、上記受熱部と上記放熱部の冷媒流路との間で液状の冷媒を循環させる循環経路と、を具備しており、
上記ディスプレイハウジングには、上記放熱部に対応する領域のうちの少なくとも一部に対応させて透明部材により形成された透光部が設けられているとともに、上記ディスプレイハウジングの内側に、上記放熱部に対応する領域のうちの少なくとも一部に対応させて所定の温度で色又は色調が変化する変色層が設けられていることを特徴とする電子機器。
【請求項２】
上記変色層は、上記透光部の内面に設けられていることを特徴とする請求項１に記載の電子機器。
【請求項３】
発熱体を有する機器本体と、
上記機器本体に設けられ、上記発熱体に熱的に接続された受熱部と、
表示パネル及びこの表示パネルを収容するディスプレイハウジングを有し、上記機器本体に支持された表示ユニットと、
上記ディスプレイハウジングの内部に設けられ、冷媒流路を有する放熱部と、
上記機器本体と上記表示ユニットとの間に跨って配置され、上記受熱部と上記放熱部の冷媒流路との間で液状の冷媒を循環させる循環経路と、を具備しており、
上記ディスプレイハウジングには、上記放熱部に対応する領域のうちの少なくとも一部に対応させて複数の孔部が形成された透光部が設けられているとともに、上記ディスプレイハウジングの内側に、上記放熱部に対応する領域のうちの少なくとも一部に対応させて所定の温度で色又は色調が変化する変色層が設けられていることを特徴とする電子機器。
【請求項４】
上記変色層は、上記放熱部の冷媒流路の外面に設けられていることを特徴とする請求項１又は請求項３に記載の電子機器。
【請求項５】
発熱体を有する機器本体と、
上記機器本体に設けられ、上記発熱体に熱的に接続された受熱部と、
表示パネル及びこの表示パネルを収容するディスプレイハウジングを有して、上記機器本体に支持された表示ユニットと、
上記ディスプレイハウジングの内部に設けられ、冷媒流路を有する放熱部と、
上記機器本体と上記表示ユニットとの間に跨って配置され、上記受熱部と上記放熱部の冷媒流路との間で液状の冷媒を循環させる循環経路と、を具備しており、
上記ディスプレイハウジングの外面には、上記放熱部に対応する領域のうちの少なくとも一部に対応させて複数の凹部が形成されているとともに、上記凹部内に所定の温度で色又は色調が変化する変色層が設けられていることを特徴とする電子機器。
【請求項６】
発熱体を収容する筐体を具備し、上記筐体には、上記発熱体に対応する領域のうちの少なくとも一部に対応させて光が透過する透光部が設けられているとともに、上記筐体の内側に、上記発熱体に対応する領域のうちの少なくとも一部に対応させて所定の温度で色又は色調が変化する変色層が設けられていることを特徴とする電子機器。
【請求項７】
発熱体を収容する筐体と、
上記筐体に支持され、複数のキートップを有するキーボードと、を具備し、
上記発熱体に対応する領域に位置するキートップは、光が透過する透光部を有し、このキートップの透光部の内側に、所定の温度で色又は色調が変化する変色層が設けられていることを特徴とする電子機器。
【発明の詳細な説明】
【０００１】
【発明の属する技術分野】
本発明は、例えば半導体パッケージのような発熱体を備えた電子機器に関する。
【０００２】
【従来の技術】
ポータブルコンピュータのような電子機器は、個個の機種間における機能的な差が小さくなりつつあり、ユーザーは、以前にも増して、電子機器を機能だけでなく外観的なデザインを考慮して選択するようになってきている。そのため、近時、電子機器の外観性、意匠性への関心がより高まっている。
【０００３】
この種の電子機器としては、特開２００２−６４６０３号公報において公開されている可逆感温変色性携帯電話がある。この携帯電話は、外面の少なくとも一部に可逆感温変色層を設けたり、或いは、外装ケースを構成する少なくとも一部のプラスチック部材中に可逆熱変色顔料を分散させている。この携帯電話では、温度により外面の色を変化させることで外観性を高めている。
【０００４】
【発明が解決しようとする課題】
上記特開２００２−６４６０３号公報において公開されている携帯電話のうち、可逆感温変色層を外面に設けた携帯電話は、可逆感温変色層に直接手が触れる。したがって、繰り返し使用することで、可逆感温変色層が剥れたり、性能が劣化するおそれがある。一方、プラスチック部材中に可逆熱変色顔料を分散させた携帯電話は、これを製造するために、可逆熱変色顔料をプラスチックに分散させる設備等が必要となり、製造コストが嵩む。
【０００５】
本発明は、このような事情にもとづいてなされたもので、外観が良好であり、且つ、この外観の品質低下を抑制することができる電子機器の提供を目的とする。
【０００６】
【課題を解決するための手段】
上記目的を達成するために、請求項１に係る本発明の電子機器は、発熱体を有する機器本体と、この機器本体に設けられ、発熱体に熱的に接続された受熱部と、表示パネル及びこの表示パネルを収容するディスプレイハウジングを有し、上記機器本体に支持された表示ユニットと、ディスプレイハウジングの内部に設けられ、冷媒流路を有する放熱部と、機器本体と表示ユニットとの間に跨って配置され、受熱部と放熱部の冷媒流路との間で液状の冷媒を循環させる循環経路と、を具備している。ディスプレイハウジングには、放熱部に対応する領域のうちの少なくとも一部に対応させて透明部材により形成された透光部が設けられているとともに、ディスプレイハウジングの内側に、放熱部に対応する領域のうちの少なくとも一部に対応させて所定の温度で色又は色調が変化する変色層が設けられていることを特徴とする。
【０００７】
この発明によれば、放熱部から放出される熱によって生じる温度変化により、変色層は色又は色調が変化する。この変色層の色又は色調の変化は、ディスプレイハウジングの透光部から外部に透けて見える。しかも、変色層は、ディスプレイハウジングの内側に設けられているため、変色層に直接手が触れることはない。
【０００８】
【発明の実施の形態】
以下、本発明の第１の実施形態を、図１〜図７を参照して説明する。
【０００９】
図１は、電子機器としてのポータブルコンピュータ１を開示している。ポータブルコンピュータ１は、機器本体２と、表示ユニット３とを備えている。
【００１０】
図１に示すように、機器本体２は、偏平な箱形の筐体１０を有している。筐体１０は、底壁１０ａ、上壁１０ｂ、前壁１０ｃ、左右の側壁１０ｄ、及び、後壁１０ｅを備えている。上壁１０ｂは、パームレスト１１とキーボード取付け部１２とを有している。キーボード取付け部１２は、パームレスト１１の後方に位置されており、このキーボード取付け部１２にキーボード１３が取付けられている。
【００１１】
さらに、上壁１０ｂは、キーボード１３の背後にディスプレイ支持部１４を有している。ディスプレイ支持部１４は、上壁１０ｂの後端部から上向きに張出すとともに、筐体１０の幅方向に延びている。ディスプレイ支持部１４は、一対の凹部１４ａ，１４ｂを有している。凹部１４ａ，１４ｂは、筐体１０の幅方向に互いに離れている。
【００１２】
図２及び図３に示すように、表示ユニット３は、表示パネルとしての液晶表示パネル２０と、この液晶表示パネル２０を収容する偏平な箱形のディスプレイハウジング２１とを備えている。液晶表示パネル２０は、その前面に画像を表示する画面２０ａを有している。
【００１３】
ディスプレイハウジング２１は、マスク２２、カバー２３、及び、ゴム枠２６を備えている。マスク２２は、開口部２４を有する前壁２２ａ、及び４つの側壁２２ｂを有している。カバー２３は、後壁２３ａ、及び、４つの側壁２３ｂを有している。マスク２２とカバー２３とは、その前壁２２ａと後壁２３ａとを向かい合わせるようにして配置されており、液晶表示パネル２０を取り囲んでいる。液晶表示パネル２０は、ゴム枠２６で周囲を保持されてディスプレイハウジング２１に収容されている。液晶表示パネル２０の画面２０ａは、開口部２４を通じてディスプレイハウジング２１の外方に露出している。
【００１４】
ディスプレイハウジング２１は、その一端部から突出する一対の脚部２７ａ，２７ｂを有している。脚部２７ａ，２７ｂは中空をなすとともに、ディスプレイハウジング２１の幅方向に互いに離れている。これら脚部２７ａ，２７ｂは、ディスプレイ支持部１４の凹部１４ａ，１４ｂに挿入されているとともに、図示しないヒンジ装置を介して筐体１０に連結されている。
【００１５】
そのため、表示ユニット３は、キーボード１３の上方から覆うように倒される閉じ位置と、キーボード１３や画面２０ａを露出させるように起立する開き位置とにわたって回動可能な状態で、機器本体２に支持されている。
【００１６】
図２及び図３に示すように、筐体１０は、プリント配線板３０、ハードディスク駆動装置３４、及び、バッテリーパック３５を収容している。プリント配線板３０、ハードディスク駆動装置３４、及び、バッテリーパック３５は、筐体１０の底壁１０ａの上に並べて配置されている。
【００１７】
図４に示すように、プリント配線板３０の上面には、発熱体としての半導体パッケージ３１が実装されている。半導体パッケージ３１は、ポータブルコンピュータ１の中枢となるマイクロプロセッサを構成するものであり、プリント配線板３０の後部に位置されている。半導体パッケージ３１は、ベース基板３２と、このベース基板３２の上面の中央部に配置されたＩＣチップ３３とを有している。ＩＣチップ３３は、処理速度の高速化や多機能化に伴って動作中の発熱量が非常に大きく、安定した動作を維持するために冷却を必要としている。
【００１８】
ポータブルコンピュータ１は、半導体パッケージ３１を冷却する液冷式の冷却ユニット４０を搭載している。図２〜図５に示すように、冷却ユニット４０は、受熱部４１ａと一体化された回転形ポンプ４１、放熱部４８、及び、循環経路５３を備えている。
【００１９】
図４に示すように、受熱部４１ａは、半導体パッケージ３１のベース基板３２よりも大きな金属板にて構成され、ＩＣチップ３３を上方から覆っている。このＩＣチップ３３は、図示しない導電性グリースを介して受熱部４１ａの下面中央部に熱的に接続されている。
【００２０】
ポンプ４１は、羽根車４２とポンプハウジング４３とを備えている。羽根車４２は、フラットモータ４５を介してポンプハウジング４３に支持されている。フラットモータ４５は、例えばポータブルコンピュータ１の電源投入時、或いは、半導体パッケージ３１の温度が予め決められた値に達した時に、羽根車４２を回転させる。ポンプハウジング４３は、羽根車４２が臨むポンプ室４４と、このポンプ室４４に連なる冷媒入口４６及び冷媒出口４７とを有している。
【００２１】
図２及び図３に示すように、放熱部４８は、ディスプレイハウジング２１の内部、すなわち、ディスプレイハウジング２１のカバー２３の後壁２３ａと液晶表示パネル２０との間に収容されている。放熱部４８は、液晶表示パネル２０と略同等の大きさを有する長方形の板状をなしている。
【００２２】
また、図２、図３、及び、図５に示すように、放熱部４８は、第１の放熱板４９と第２の放熱板５０とを備えている。第１及び第２の放熱板４９，５０は、夫々熱伝導性に優れた金属材料にて構成され、互いに重ね合わされている。第１の放熱板４９は、第２の放熱板５０の反対側に張出す膨出部４９ａを有している。膨出部４９ａは、第１の放熱板４９の略全面にわたって蛇行状に形成されている。この膨出部４９ａの開口端は、第２の放熱板５０によって閉じられている。そのため、第１の放熱板４９の膨出部４９ａは、第２の放熱板５０との間に冷媒流路Ａを構成している。
【００２３】
図３に示すように、放熱部４８は、冷媒入口５１と冷媒出口５２とを有している。冷媒入口５１は、放熱部４８の左端部（図３において向かって左側）に位置されて、冷媒流路Ａの上流端に連なるとともに、ディスプレイハウジング２１の左側の脚部２７ａに隣接している。冷媒出口５２は、放熱部４８の右端部（図３において向かって右側）に位置されて、冷媒流路Ａの下流端に連なるとともに、ディスプレイハウジング２１の右側の脚部２７ｂに隣接している。このため、冷媒入口５１と冷媒出口５２とは、ディスプレイハウジング２１の幅方向に互いに離れている。
【００２４】
循環経路５３は、受熱部４１ａと放熱部４８の冷媒流路Ａとの間で液状の冷媒を循環させるためのものである。図２及び図３に示すように、循環経路５３は、第１の管路５４と第２の管路５５とを備えている。第１の管路５４は、機器本体２と表示ユニット３との間に跨って設けられ、ポンプハウジング４３の冷媒出口４７と放熱部４８の冷媒入口５１との間を接続している。この第１の管路５４は、筐体１０の内部からディスプレイ支持部１４及び左側の脚部２７ａの内側を通してディスプレイハウジング２１の内部に導かれている。第２の管路５５は、機器本体２と表示ユニット３との間に跨って設けられ、ポンプハウジング４３の冷媒入口４６と放熱部４８の冷媒出口５２との間を接続している。この第２の管路５５は、筐体１０の内部からディスプレイ支持部１４及び右側の脚部２７ｂの内側を通してディスプレイハウジング２１の内部に導かれている。
【００２５】
ポンプ４１のポンプ室４４、放熱部４８の冷媒流路Ａ、及び、循環経路５３には、液状の冷媒としての冷却液が充填されている。この冷却液としては、例えばエチレングリコール水溶液に必要に応じて腐蝕防止剤を添加した不凍液が用いられている。
【００２６】
図２〜図４に示すように、受熱部４１ａと一体化されたポンプ４１は、４本の脚部５６ｂを有する十字形のばね部材５６を介して半導体パッケージ３１に押付けられている。つまり、ばね部材５６の脚部５６ｂをプリント配線板３０の上の四つのボス部５７にねじ５８で固定することにより、このばね部材５６の中央部５６ａが脚部５６ｂの弾性によりポンプ４１に押付けられる。したがって、受熱部４１ａが半導体パッケージ３１のＩＣチップ３３に密着して熱的に接続される。
【００２７】
上記ディスプレイハウジング２１には、放熱部４８に対応する領域のうちの少なくとも一部の領域に対応させて、透明部材により形成された透光部６０ａが設けられている。この第１の実施の形態では、ディスプレイハウジング２１のカバー２３を透明部材により形成することで、放熱部４８に対応する略全域を透光部６０ａとしている（図６及び図７参照）。
【００２８】
また、ディスプレイハウジング２１の内側には、放熱部４８に対応する領域のうちの少なくとも一部の領域に対応させて可逆感温変色層６１ａが設けられている。可逆感温変色層６１ａは、所定の温度で色又は色調が変化する。このポータブルコンピュータ１では、カバー２３の後壁２３ａをなす透光部６０ａの内面に、放熱部４８の略全域に対応させて可逆感温変色層６１ａを設けている（図６及び図７参照）。なお、理解を容易にするために、図６において、可逆感温変色層６１ａを設けた領域に点模様を付して示している。この可逆感温変色層６１ａは、カバー２３の後壁２３ａの内面だけでなく、カバー２３の後壁２３ａ及び４つの側壁２３ｂの内面に設けてもよい。
【００２９】
カバー２３及び可逆感温変色層６１ａは、例えば以下のようにして形成することができる。
【００３０】
無色透明なアクリロニトリル−ブタジエン−スチレン共重合樹脂（ＡＢＳ樹脂）によりカバー２３を成型する。
【００３１】
可逆感温変色層６１ａは、例えば、２９℃以上で無色２７℃以下で黒色を呈する加熱消色型可逆熱変色性顔料と、３５℃以上で無色３３℃以下でピンク色を呈する加熱消色型可逆熱変色性顔料と、青色顔料と、塩化ビニル−酢酸ビニル共重合樹脂と、油性アクリル樹脂（不揮発分４５％、溶剤はトルエン及び酢酸エチル）と、メチルイソブチルケトンと、キシレンとを、
３０：１５：３：３０：３０：１５：１５　　…（１）
の割合で均一に分散させた塗料を用いて形成する。乾燥させた状態での膜厚が４０μｍとなるように、カバー２３の後壁２３ａの内面にスプレー塗装する。その後、４０℃で１０分間乾燥硬化させる。以上により、カバー２３及び可逆感温変色層６１ａが形成される。
【００３２】
このように形成された可逆感温変色層６１ａは、カバー２３の後壁２３ａの外面側からみて、２７℃以下で黒色を呈し、２８℃〜３４℃で紫色を呈し、３５℃以上で青色を呈する。
【００３３】
なお、透明な樹脂等からなる透明フィルムに予め可逆感温変色層を形成しておき、このフィルムをカバー２３の後壁２３ａにその内面に貼り付けることで、可逆感温変色層６１ａを形成してもよい。
【００３４】
このような構成において、半導体パッケージ３１のＩＣチップ３３は、ポータブルコンピュータ１の使用中に発熱する。このＩＣチップ３３の熱は、受熱部４１ａを介してポンプハウジング４３に伝わる。ポンプハウジング４３は、冷却液が充填されたポンプ室４４を有するので、ポンプハウジング４３に伝わった熱の多くを冷却液が吸収する。
【００３５】
羽根車４２が回転すると、ポンプ室４４内の冷却液が第１の管路５４を介して放熱部４８に送り出され、ポンプ室４４と放熱部４８の冷媒流路Ａとの間で冷却水が強制的に循環される。
【００３６】
すなわち、ポンプ室４４での熱交換により加熱された冷却液は、第１の管路５４を介して放熱部４８に送り出され、蛇行状に屈曲された冷媒流路Ａを流れる。この流れの過程で冷却液に吸収されたＩＣチップ３３の熱が第１及び第２の放熱板４９，５０に拡散され、これら放熱板４９，５０の表面から放出される。
【００３７】
冷媒流路Ａを通過する過程で冷やされた冷却液は、第２の管路５５を通じてポンプ室４４に戻される。この冷却液は、ポンプ室４４を流れる過程で再びＩＣチップ３３の熱を吸収し、放熱部４８に送り出される。このようなサイクルを繰り返すことで、ＩＣチップ３３の熱がディスプレイハウジング２１内の放熱部４８を通じてポータブルコンピュータ１の外部に放出される。
【００３８】
ところで、可逆感温変色層６１ａは、常温では黒色を呈している。放熱部４８の放熱板４５，５０の表面から熱が放出されると、この放射熱により、可逆感温変色層６１ａが温められる。可逆感温変色層６１ａは、２８℃以上となると、紫色に変化する。さらに、可逆感温変色層６１ａは、３５℃以上となると、青色に変化する。なお、可逆感温変色層６１ａの温度はある地点で平衡状態となり、３５℃を大きく上回って温度が上昇することはない。
【００３９】
また、放熱板４９，５０の表面からの放熱がなくなると、可逆感温変色層６１ａが冷やされ、常温に戻る。可逆感温変色層６１ａは、３４℃以下となると、紫色に変化する。さらに、可逆感温変色層６１ａは、２７℃以上となると、黒色に変化する。このような可逆感温変色層６１ａの色の変化は、透光部６０ａ、すなわち、透明部材からなるカバー２３を介して、ポータブルコンピュータ１の外部に透けて見える。
【００４０】
以上のように、このポータブルコンピュータ１によれば、放熱部４８から放出される熱によって生じるディスプレイハウジング２１の内側の温度変化により、可逆感温変色層６１ａは色又は色調が変化する。この可逆感温変色層６１ａの色又は色調の変化は、ディスプレイハウジング２１の透光部６０ａを介して外部に透けて見える。すなわち、このポータブルコンピュータ１によれは、使用者が特別な操作をすることなく、単にコンピュータ１を起動させるだけで使用中にディスプレイハウジング２１の外観が変化する。しがたって、外観が良く、意匠性に優れたポータブルコンピュータ１が得られる。
【００４１】
しかも、このポータブルコンピュータ１によれば、可逆感温変色層６１ａがディスプレイハウジング２１の内側に設けられている。したがって、ポータブルコンピュータ１を使用したり、持ち運ぶ際、可逆感温変色層６１ａに直接手が触れない。そのため、可逆感温変色層６１ａの剥れや性能の劣化等の品質低下が抑制され、外観は良好な状態に保たれる。
【００４２】
さらに、このポータブルコンピュータ１では、カバー２３の後壁２３ａの内面に可逆感温変色層６１ａをスプレーで塗装したり、可逆感温変色層６１ａを形成したフィルムをカバー２３の後壁２３ａの内面に貼り付けているので、プラスチック部材中に可逆熱変色顔料を分散させるといった手間のかかる作業が一切不要となり、製造コストを抑制できる。
【００４３】
本発明は、第１の実施形態に特定されるものではない。以下、本発明の第２の実施形態を、図８及び図９を参照して説明する。
【００４４】
第２の実施形態は、透光部が設けられている領域と、可逆感温変色層が設けられている領域とが、上記第１の実施形態と相違している。それ以外のポータブルコンピュータ１の基本的な構成は、上記第１の実施形態と同様である。そのため、第２の実施形態において、上記第１の実施形態と同一の構成部分には同一の参照符号を付して、その説明を省略する。
【００４５】
ディスプレイハウジング２１のカバー２３は、例えば着色された不透明な樹脂等により形成されている。また、このカバー２３の後壁２３ａには、放熱部４８に対応する領域のうちの一部に対応させて、第１の放熱板４９の膨出部４９ａを露出させる開口部２５が形成されている。この開口部２５に、透明部材、例えば無色透明な樹脂やガラス等により形成されたパネル状の透光部６０ｂが嵌め込まれている。
【００４６】
可逆感温変色層６１ｂは、透光部６０ｂの全域ではなく、透光部６０ｂの一部に文字や図柄が示されるように設けられている。このポータブルコンピュータ１では、例えば「ＡＢＣ」の文字が示されるように可逆感温変色層６１ｂを設けている。なお、理解を容易にするために、図８において、可逆感温変色層６１ｂを設けた領域に点模様を付して示している。
【００４７】
可逆感温変色層６１ｂは、例えばシルクスクリーン印刷等により透光部６０ｂの内面に直接印刷して乾燥させるか、或いは、透明な樹脂等からなる透明フィルムの全面に予め可逆感温変色層を形成しておき、このフィルムを所望の文字の形に抜いて、透光部６０ｂの内面に貼り付ける等して形成することができる。
【００４８】
このポータブルコンピュータ１では、放熱部４８から放出される熱によって生じるディスプレイハウジング２１の内側の温度変化により、文字の色又は色調を変化させることができる。この文字の色又は色調を変化は、透明部材により形成された透光部６０ｂを介して外部から見ることができる。しがたって、外観が良く、意匠性に優れたポータブルコンピュータ１が得られる。
【００４９】
なお、可逆感温変色層６１ｂと放熱部４８との間に、放熱部４８を外部から見えなくするための目隠し部材を設けても良い。
【００５０】
また、可逆感温変色層６１ｂを形成する塗料として、例えば、所定温度以下で無色、所定温度以上で有色となるような可逆感温変色塗料を選択することで、所定の温度において文字を浮かびあがらせることができる。
【００５１】
さらに、可逆感温変色層６１ｂを形成する塗料として、例えば、所定温度以下で有色、所定温度以上で無色となるような可逆感温変色塗料を選択することで、所定の温度において文字を消すことができる。
【００５２】
次に、本発明の第３の実施形態を、図１０及び図１１を参照して説明する。
【００５３】
第３の実施形態は、透光部が設けられている領域と、可逆感温変色層が設けられている場所が、上記第１の実施形態と相違している。それ以外のポータブルコンピュータ１の基本的な構成は、上記第１の実施形態と同様である。そのため、第３の実施形態において、上記第１の実施形態と同一の構成部分には同一の参照符号を付して、その説明を省略する。
【００５４】
ディスプレイハウジング２１のカバー２３は、例えば着色された不透明な樹脂等により形成されている。また、このカバー２３の後壁２３ａには、放熱部４８に対応する領域のうちの一部に対応させて、第１の放熱板４９の膨出部４９ａを露出させる開口部２５が形成されている。この開口部２５に、透明部材、例えば無色透明な樹脂やガラス等により形成されたパネル状の透光部６０ｃが嵌め込まれている。
【００５５】
また、可逆感温変色層６１ｃは、図１１に示すように、第１の放熱板４９の膨出部４９ａと第２の放熱板５０との間に構成された冷媒流路Ａの外面、すなわち、膨出部４９ａの外面に設けられている。なお、理解を容易にするために、図１０において、可逆感温変色層６１ｃを設けた領域に点模様を付して示している。
【００５６】
このポータブルコンピュータ１では、放熱部４８から放出される熱によって生じる冷媒流路Ａの外面の温度変化により、冷媒流路Ａの色又は色調を変化させることができる。この冷媒流路Ａの色又は色調の変化は、透明部材により形成された透光部６０ｃを介して、外部から見ることができる。しがたって、外観が良く、意匠性に優れたポータブルコンピュータ１が得られる。
【００５７】
図１２及び図１３は、本発明の第４の実施形態を開示している。
【００５８】
第４の実施形態は、透光部の形態と、可逆感温変色層が設けられている場所が、上記第１の実施形態と相違している。それ以外のポータブルコンピュータ１の基本的な構成は、上記第１の実施形態と同様である。そのため、第４の実施形態において、上記第１の実施形態と同一の構成部分には同一の参照符号を付して、その説明を省略する。
【００５９】
ディスプレイハウジング２１のカバー２３は、例えば着色された不透明な樹脂等により形成されている。また、このカバー２３の後壁２３ａには、放熱部４８に対応する領域のうちの一部に対応させて、第１の放熱板４９の膨出部４９ａを露出させる開口部２５が形成されている。この開口部２５に透光部６０ｄがはめ込まれている。透光部６０ｄは、例えば着色された不透明な樹脂等により形成されたパネルに複数の孔部６２を形成したものであり、孔部６２は、夫々指が入り込まない程度の大きさを有している。なお、このカバー２３の後壁２３ａの開口部２５を省略し、後壁２３ａに直接孔部６２を形成してもよい。
【００６０】
また、可逆感温変色層６１ｄは、図１３に示すように、第１の放熱板４９の膨出部４９ａと第２の放熱板５０との間に構成された冷媒流路Ａの外面、すなわち、膨出部４９ａの外面に設けられている。なお、理解を容易にするために、図１２において、可逆感温変色層６１ｄを設けた領域に点模様を付して示している。
【００６１】
このポータブルコンピュータ１では、放熱部４８から放出される熱によって生じる冷媒流路Ａの外面の温度変化により、冷媒流路Ａの色又は色調を変化させることができる。この冷媒流路Ａの色又は色調の変化は、透光部６０ｄの孔部６２を通じで、外部から見ることができる。しがたって、外観が良く、意匠性に優れたポータブルコンピュータ１が得られる。
【００６２】
また、このポータブルコンピュータ１では、孔部６２の大きさを指が入り込まない程度の大きさに設定しているため、可逆感温変色層６１ｄに直接手が触れない。したがって、可逆感温変色層６１ｄの品質低下が抑制され、外観は良好な状態に保たれる。
【００６３】
しかも、このポータブルコンピュータ１によれば、複数の孔部６２を放熱部４８に対向させて設けているため、放熱部４８の表面から放出された熱気を孔部６２からディスプレイハウジング２１の外部に効率良く放出することができる。したがって、放熱板と後壁２３ａとの間に熱がこもり難くなる。
【００６４】
なお、第４の実施形態では、透光部６０ｄを、着色された不透明な樹脂等により形成されたパネルに複数の孔部６２を形成してなるものとしたが、透光部６０ｄは無色透明な樹脂等により形成されたパネルに複数の孔部６２を形成してなるものとしてもよい。さらに、透光部６０ｄは有色透明な樹脂等により形成されたパネルに複数の孔部６２を形成してなるものとしてもよい。その場合、孔部６２から観察される色は、可逆感温変色層６１ｄの色、孔部６２以外の領域から観察される色は透光部６０ｄの色と可逆感温変色層６１ｄとの混色となる。
【００６５】
次に、本発明の第５の実施形態を、図１４及び図１５を参照して説明する。
【００６６】
ディスプレイハウジング２１のカバー２３は、例えば着色された不透明な樹脂等により形成されている。また、このカバー２３の後壁２３ａには、放熱部４８に対応する領域のうちの一部に対応させて、第１の放熱板４９の膨出部４９ａを露出させる開口部２５が形成されている。この開口部２５に、外面に複数の凹部６３が形成されたパネル６４が嵌め込まれている。このパネル６４は、例えば着色された不透明な樹脂等により形成されている。複数の凹部６３は、夫々指が入り込まない程度の大きさを有している。なお、このカバー２３の後壁２３ａの開口部２５を省略し、後壁２３ａに直接凹部６３を形成してもよい。他の構成は、上述した第１の実施形態と同じであるから、重複する説明は図１５及び図１６に同符号を付して省略する。
【００６７】
また、可逆感温変色層６１ｅは、図１５に示すように、各凹部６３内に設けられている。なお、理解を容易にするために、図１４において、可逆感温変色層６１ｅを設けた領域に点模様を付して示している。
【００６８】
このポータブルコンピュータ１では、放熱部４８から放出される熱によって生じるディスプレイハウジング２１の温度変化により、凹部６３の色又は色調を変化させることができる。しがたって、外観が良く、意匠性に優れたポータブルコンピュータ１が得られる。
【００６９】
また、このポータブルコンピュータ１では、凹部６３の大きさを指が入り込まない程度の大きさに設定しているため、可逆感温変色層６１ｅに直接手が触れない。したがって、可逆感温変色層６１ｅの品質低下が抑制され、外観は良好な状態に保たれる。
【００７０】
しかも、このポータブルコンピュータ１によれば、ディスプレイハウジング２１のカバー２３の一部をなすパネル６４に複数の凹部６３を形成しているため、カバー２３の表面積を大きくすることができる。そのため、このポータブルコンピュータ１では、放熱部４８の表面から放出された熱気をディスプレイハウジング２１の外部に効率良く放出することができる。したがって、放熱板と後壁２３ａとの間に熱がこもり難くなる。
【００７１】
次に、本発明の第６の実施形態を、図１６及び図１７を参照して説明する。
【００７２】
このポータブルコンピュータ１では、発熱体を、例えばハードディスク駆動装置３４としている。そして、図１６及び図１７に示すように、筐体１０の上壁１０ｂに、ハードディスク駆動装置３４に対応させて、このハードディスク駆動装置３４よりもひとまわり小さい開口部１５を形成している。この開口部１５に、透明部材、例えば無色透明な樹脂やガラス等により形成されたパネル状の透光部６０ｆが嵌め込まれている。
【００７３】
可逆感温変色層６１ｆは、筐体１０の内側、例えば筐体１０の一部である透光部６０ｆの内面に設けられている。なお、理解を容易にするために、図１６において、可逆感温変色層６１ｆを設けた領域に点模様を付して示している。他の構成は、上述した第１の実施形態と同じであるから、重複する説明は図１６及び図１７に同符号を付して省略する。
【００７４】
このポータブルコンピュータ１では、ハードディスク駆動装置３４から放出される熱によって生じる温度変化により、可逆感温変色層６１ｆの色又は色調を変化させることができる。また、可逆感温変色層６１ｆの変色は、透明部材により形成された透光部６０ｆを介して外部から見ることができ、筐体１０の一部の色又は色調が変化したような外観が得られる。しがたって、外観が良く、意匠性に優れたポータブルコンピュータ１が得られる。
【００７５】
なお、この実施形態では、透光部６０ｆ及び可逆感温変色層６１ｆをハードディスク駆動装置３５に対応させて設けたが、透光部６０ｆ及び可逆感温変色層６１ｆはバッテリーや半導体パッケージのような他の発熱体に対応させて設けても良い。
【００７６】
また、このポータブルコンピュータ１では、第１の実施形態に示した液冷式の冷却ユニット４０と置換して、例えば、受熱部、ヒートパイプ、熱交換部、及び、電動ファンを有する空冷式の冷却ユニットを設けることができる。
【００７７】
さらに、冷却ユニットの放熱部が筐体１０に設けられている場合、透光部６０ｆ及び可逆感温変色層６１ｆは、この冷却ユニットの放熱部に対応させて設けても良い。
【００７８】
図１８及び図１９は、本発明の第７の実施形態を開示している。
【００７９】
このポータブルコンピュータ１では、第１の実施形態に示した液冷式の冷却ユニット４０の代わりに、例えば受熱部７０を有する空冷式の冷却ユニット７１を設けている。図１９に示したように、受熱部７０は、半導体パッケージ３１のベース基板３２よりも大きな金属板にて構成され、ＩＣチップ３３を上方から覆っている。この受熱部７０は、図示しないヒートパイプを介してヒートシンクに熱的に接続されている。ヒートシンクは、受熱部７０から離れた位置に配設され、このヒートシンクに電動ファンを介して冷却風が吹き付けるようになっている。
【００８０】
また、このポータブルコンピュータ１では、受熱部７０の上にキーボード１３が位置している。キーボード１３は、複数のキートップ６０ｇと、これらキートップ６０ｇを支持する支持板６２とを有している。これらのキートップ６０ｇのうち、受熱部７０の真上に対応する領域に位置するいくつかのキートップ６０ｇは、無色透明な樹脂材料により形成されて、透光部として機能している。可逆感温変色層６１ｇは、透明なキートップ６０ｇの内面にその全域にわたって設けられている。図１８は、可逆感温変色層６１ｇが変色した様子を点模様により模式的に示している。他の構成は、上述した第１の実施形態と同じであるから、重複する説明は図１８及び図１９に同符号を付して省略する。
【００８１】
このような構成において、半導体パッケージ３１が発熱すると、この半導体パッケージ３１の熱は、受熱部７０に伝えられる。受熱部７０に半導体パッケージ３１の熱が伝えられると、この熱の一部は受熱部７０の表面から放熱される。この放射された熱気により、半導体パッケージ３１に対応する領域にあるキートップ６０ｇの可逆感温変色層６１ｇが温められて変色する（図１８参照）。可逆感温変色層６１ｇを有するキートップ６０ｇは、透明部材により形成されているため、可逆感温変色層６１ｇの色又は色調の濃淡をキーボード１３の外部から見ることができる。しがたって、外観が良く、意匠性に優れたポータブルコンピュータ１が得られる。
【００８２】
なお、可逆感温変色層６１ｇは、受熱部７０の透光部６０ｇと対向する外面に設けてもよい。このようにすることにより、半導体パッケージ３１に対応する領域のキートップ６０ｇの色又は色調を変化させることができる。
【００８３】
また、この実施形態では、キートップ６０ｇの可逆感温変色層６１ｇを受熱部７０に対応させて設けたが、キーボード１３の下側に発熱するバッテリーやハードディスク駆動装置を配置した場合は、キートップ６０ｇの可逆感温変色層６１ｇをバッテリーやハードディスク駆動装置に対応させて設けても良い。
【００８４】
なお、上記第１、第２、第３、第６及び第７の実施形態では、透光部６０ａ，６０ｂ，６０ｃ，６０ｆ，６０ｇを無色透明な部材としたが、透光部６０ａ，６０ｂ，６０ｃ，６０ｆ，６０ｇは有色透明な部材としてもよい。その場合、外部から観察される色は、透光部６０ａ，６０ｂ，６０ｃ，６０ｆ，６０ｇの色と可逆感温変色層６１ａ，６１ｂ，６１ｃ，６１ｆ，６１ｇの色との混色となる。
【００８５】
また、第１の実施形態では、２種類の可逆感温変色塗料と１種類の顔料とを用い、２７〜２８℃及び３４〜３５℃の２つの温度帯域で変色させることで、計３色の色が発現するようにしたが、使用する可逆感温変色塗料及び顔料は、何種類であってもよい。また、顔料は、使用しなくともよい。さらに、可逆感温変色層６１ａ〜６１ｇを形成する塗料は、第１の実施形態で示した塗料に限定されるものではなく、可逆感温変色塗料を広く用いることができる。
【００８６】
本発明に係る電子機器は、ポータブルコンピュータに制約されるものではなく、発熱体を備えた種々の電子機器に適用することができる。
【００８７】
【発明の効果】
本発明によれば、外観性が良好な電子機器が得られる。
【図面の簡単な説明】
【図１】本発明の第１の実施形態に係るポータブルコンピュータの斜視図。
【図２】本発明の第１の実施形態において、冷却ユニットの位置関係を分解して示すポータブルコンピュータの斜視図。
【図３】本発明の第１の実施形態において、冷却ユニットの位置関係を示すポータブルコンピュータの断面図。
【図４】本発明の第１の実施形態において、ポンプと一体化している受熱部を保持部材を介してプリント基板の上に固定した状態を示す断面図。
【図５】本発明の第１の実施形態に係る放熱部の断面図。
【図６】本発明の第１の実施形態に係るポータブルコンピュータ全体を後側から見た斜視図。
【図７】本発明の第１の実施形態に係る表示ユニットの断面図。
【図８】本発明の第２の実施形態に係るポータブルコンピュータ全体を後側から見た斜視図。
【図９】本発明の第２の実施形態に係る表示ユニットの断面図。
【図１０】本発明の第３の実施形態に係るポータブルコンピュータ全体を後側から見た斜視図。
【図１１】本発明の第３の実施形態に係る表示ユニットの断面図。
【図１２】本発明の第４の実施形態に係るポータブルコンピュータ全体を後側から見た斜視図。
【図１３】本発明の第４の実施形態に係る表示ユニットの断面図。
【図１４】本発明の第５の実施形態に係るポータブルコンピュータ全体を後側から見た斜視図。
【図１５】本発明の第５の実施形態に係る表示ユニットの断面図。
【図１６】本発明の第６の実施形態に係るポータブルコンピュータの一部を前側から見た斜視図。
【図１７】本発明の第６の実施形態に係る筐体のパームレスト近傍の断面図。
【図１８】本発明の第７の実施形態に係るポータブルコンピュータの一部を前側から見た斜視図。
【図１９】本発明の第７の実施形態に係る筐体及びキーボードの断面図。
【符号の説明】
１…電子機器（ポータブルコンピュータ）
２…機器本体
３…表示ユニット
１０…筐体
１３…キーボード
２０…表示パネル（液晶表示パネル）
２１…ディスプレイハウジング
３１…発熱体（半導体パッケージ）
３４…発熱体（ハードディスク駆動装置）
４０…冷却ユニット
４１ａ…受熱部
４８…放熱部
５３…循環経路
６０ａ，６０ｂ，６０ｃ，６０ｄ，６０ｆ…透光部
６０ｇ…キートップ
６１ａ，６１ｂ，６１ｃ，６１ｄ，６１ｅ，６１ｆ，６１ｇ…変色層
６２…孔部
６３…凹部
Ａ…冷媒流路
【図１】
2004086736.tif 000003
【図２】
2004086736.tif 000004
【図３】
2004086736.tif 000005
【図４】
2004086736.tif 000006
【図５】
2004086736.tif 000007
【図６】
2004086736.tif 000008
【図７】
2004086736.tif 000009
【図８】
2004086736.tif 000010
【図９】
2004086736.tif 000011
【図１０】
2004086736.tif 000012
【図１１】
2004086736.tif 000013
【図１２】
2004086736.tif 000014
【図１３】
2004086736.tif 000015
【図１４】
2004086736.tif 000016
【図１５】
2004086736.tif 000017
【図１６】
2004086736.tif 000018
【図１７】
2004086736.tif 000019
【図１８】
2004086736.tif 000020
【図１９】
2004086736.tif 000021